(57)【要約】【課題】横抱き状態において、乳幼児に与える圧迫感を低減する子守帯を提供する。【解決手段】本発明の子守帯は、乳幼児を縦抱き状態で保持する縦抱き用シート（１０）と、乳幼児を横抱き状態で保持する横抱き用シート（６０）とを備え、横抱き用シート（６０）において、乳幼児の頭部に位置する領域の幅方向両端部と、乳幼児の臀部に位置する領域の幅方向両端部とを、縦抱き用シート（１０）に対して着脱可能に連結するように構成される。【選択図】図９
2015130963.tif 000002
【特許請求の範囲】
【請求項１】
乳幼児を縦抱き状態で保持する縦抱き用シートと、
乳幼児を横抱き状態で保持する横抱き用シートとを備え、
前記横抱き用シートにおいて、乳幼児の頭部に位置する領域の幅方向両端部と、乳幼児の臀部に位置する領域の幅方向両端部とを、縦抱き用シートに対して着脱可能に連結するように構成される、子守帯。
【請求項２】
前記縦抱き用シートは、乳幼児の身体を縦抱き状態で保持するシート部と、前記シート部から延びて縦抱き状態及び横抱き状態で着用者の肩に掛けられる一対の肩ベルトとを有し、
前記横抱き用シートは、前記肩ベルトの一方が乳幼児の頭部に位置する領域の幅方向を延在するように前記肩ベルトの一方を取り付ける頭部側取付部と、前記肩ベルトの他方が乳幼児の臀部に位置する領域の幅方向を延在するように前記肩ベルトの他方を取り付ける臀部側取付部とを有する、請求項１に記載の子守帯。
【請求項３】
前記頭部側取付部及び前記臀部側取付部のそれぞれは、前記横抱き用シートの外側面の幅方向両端部に設けられる、請求項２に記載の子守帯。
【請求項４】
前記頭部側取付部及び前記臀部側取付部は、前記肩ベルトの一方及び他方を通すベルト通し帯である、請求項２または３に記載の子守帯。
【請求項５】
前記横抱き用シートは、乳幼児の頭部を横抱き状態で支持するヘッドシート部と、乳幼児の背中及び臀部を横抱き状態で支持するバックシート部とを有し、
前記ヘッドシート部には芯材が設けられる、請求項２〜４のいずれか１項に記載の子守帯。
【請求項６】
前記縦抱き用シートは、縦抱き状態及び横抱き状態で着用者の腰に回し掛けられる腰ベルトを有する、請求項１〜５のいずれか１項に記載の子守帯。
【発明の詳細な説明】
【技術分野】
【０００１】
本発明は、子守帯に関し、より特定的には、縦抱き及び横抱きに使用可能な子守帯に関する。
【背景技術】
【０００２】
乳児は、生後まもなくは首が座らず縦抱きには不向きであり、横抱きの子守帯を用いる必要がある。乳児の首が座ると、乳児を縦抱きすることができる。このため、例えば、登録実用新案第３１７１０４５号（特許文献１）に開示されているように、縦抱き及び横抱きに使用可能な子守帯が知られている。
【０００３】
特許文献１には、幼児を縦抱き状態で保持する縦抱き用キャリア体と、幼児を横抱き状態で保持する横抱き用キャリア体とを備え、幼児の頭部よりも長手方向の端部と、幼児の臀部よりも長手方向の端部とを、左右の肩掛けベルトに対して着脱可能に連結するための連結手段とを備えている子守帯が開示されている。
【先行技術文献】
【特許文献】
【０００４】
【特許文献１】実用新案登録第３１７１０４５号
【発明の概要】
【発明が解決しようとする課題】
【０００５】
しかしながら、上記特許文献１の子守帯は、横抱き用キャリア体において、幼児の頭よりも長手方向の端部と、幼児の臀部よりも長手方向の端部とを肩掛けベルトに連結している。この構造では、横抱き状態において、長手方向における頭部側の端部と臀部側の端部とで幼児を吊ることになるので、幼児に圧迫感を与えてしまうという問題がある。
【０００６】
本発明は、上記問題点に鑑み、横抱き状態において、乳幼児に与える圧迫感を低減する子守帯を提供することを課題とする。
【課題を解決するための手段】
【０００７】
本発明の子守帯は、乳幼児を縦抱き状態で保持する縦抱き用シートと、乳幼児を横抱き状態で保持する横抱き用シートとを備え、横抱き用シートにおいて、乳幼児の頭部に位置する領域の幅方向両端部と、乳幼児の臀部に位置する領域の幅方向両端部とを、縦抱き用シートに対して着脱可能に連結するように構成される。
【０００８】
本発明の子守帯によれば、乳幼児の頭部に位置する領域の幅方向両端部と、乳幼児の臀部に位置する領域の幅方向両端部とで、横抱き時に乳幼児を支持できる。つまり、横抱き時には、長手方向における頭部側の端部と臀部側の端部とで乳幼児を吊る状態ではない。したがって、横抱き状態において、乳幼児に与える圧迫感を低減できる。
【０００９】
本発明の子守帯において好ましくは、縦抱き用シートは、乳幼児の身体を縦抱き状態で保持するシート部と、このシート部から延びて縦抱き状態及び横抱き状態で着用者の肩に掛けられる一対の肩ベルトとを有し、横抱き用シートは、肩ベルトの一方が乳幼児の頭部に位置する領域の幅方向を延在するように肩ベルトの一方を取り付ける頭部側取付部と、肩ベルトの他方が乳幼児の臀部に位置する領域の幅方向を延在するように肩ベルトの他方を取り付ける臀部側取付部とを有する。
【００１０】
頭部側取付部により、横抱き用シートにおいて乳幼児の頭部に位置する領域の幅方向を肩ベルトの一方が延在するので、乳幼児の頭部を安定して支持することができる。臀部側取付部により、横抱き用シートにおいて乳幼児の臀部に位置する領域の幅方向を肩ベルトの他方が延在するので、乳幼児の臀部を安定して支持することができる。このように、一対の肩ベルトを用いて、乳幼児の頭部及び臀部に位置するそれぞれの領域を安定して支持することができる。このため、横抱き状態において、乳幼児を安定して保持できるので、横抱き状態において、乳幼児に与える圧迫感をより低減できる。
【００１１】
本発明の子守帯において好ましくは、頭部側取付部及び臀部側取付部のそれぞれは、横抱き用シートの外側面の幅方向両端部に設けられる。
【００１２】
これにより、肩ベルトの一方が乳幼児の頭部に位置する領域の幅方向下方を延在するように肩ベルトの一方を取り付けることができるとともに、肩ベルトの他方が乳幼児の臀部に位置する領域の幅方向下方を延在するように肩ベルトの他方を取り付けることができる。つまり、乳幼児の頭部及び臀部に位置するそれぞれの領域を下方から支持することができる。このため、横抱き状態において、乳幼児をより安定して保持できるので、横抱き状態において、乳幼児に与える圧迫感をより一層低減することができる。
【００１３】
本発明の子守帯において好ましくは、頭部側取付部及び臀部側取付部は、肩ベルトの一方及び他方を通すベルト通し帯である。
【００１４】
これにより、肩ベルトの一方及び他方を横抱き用シートに容易に取り付けることができる。
【００１５】
本発明の子守帯において好ましくは、横抱き用シートは、乳幼児の頭部を横抱き状態で支持するヘッドシート部と、乳幼児の背中及び臀部を横抱き状態で支持するバックシート部とを有し、ヘッドシート部には芯材が設けられる。
【００１６】
ヘッドシート部に芯材が設けられているので、横抱き時において、乳幼児の頭部を安定して支持できる。このため、横抱き状態において、乳幼児に与える圧迫感をより低減できる。
【００１７】
本発明の子守帯において好ましくは、縦抱き用シートは、縦抱き状態及び横抱き状態で着用者の腰に回し掛けられる腰ベルトを有する。
【００１８】
これにより、縦抱き状態及び横抱き状態において、着用者は、１対の肩ベルトを両肩にそれぞれ掛けることができきるとともに、腰ベルトを装着することができる。このため、子守帯の荷重を着用者の両肩及び腰の広範囲に分散することができる。
【発明の効果】
【００１９】
本発明の子守帯によれば、横抱き用シートにおいて、乳幼児の頭部に位置する領域の幅方向両端部と、乳幼児の臀部に位置する領域の幅方向両端部とを、縦抱き用シートに対して着脱可能に連結するように構成されるので、横抱き状態において、乳幼児に与える圧迫感を低減する子守帯を提供することができる。
【図面の簡単な説明】
【００２０】
【図１】本発明の実施の形態の子守帯を用いて乳幼児を横抱きした状態における縦抱き用シート及び横抱き用シートの配置を示す模式図である。
【図２】本発明の実施の形態の子守帯を用いて乳幼児を横抱きした状態を横から見たときの模式図である。
【図３】本発明の実施の形態の子守帯を構成する縦抱き用シートの外側面を概略的に示す平面図である。
【図４】本発明の実施の形態の子守帯を構成する縦抱き用シートの内側面を概略的に示す平面図である。
【図５】本発明の実施の形態の子守帯を縦抱きに使用する際において乳幼児を保持する状態を内側から見たときの平面図である。
【図６】本発明の実施の形態の子守帯を構成する横抱き用シートの外側面を概略的に示す平面図である。
【図７】本発明の実施の形態の子守帯を構成する横抱き用シートの内側面を概略的に示す平面図である。
【図８】本発明の実施の形態の子守帯において、横抱き用シートの外側面に、一対の肩ベルトを取り付けた状態を概略的に示す平面図である。
【図９】本発明の実施の形態の子守帯において、横抱き用シートを縦抱き用シートに取り付けた状態を概略的に示す斜視図である。
【図１０】本発明の実施の形態の子守帯を用いて乳幼児を横抱きした状態を概略的に示す平面図である。
【図１１】本発明の実施の形態の子守帯を用いて乳幼児を横抱きした状態を、下方から見たときの横抱き用シート及び肩ベルトを概略的に示す斜視図である。
【発明を実施するための形態】
【００２１】
本明細書において、縦抱き状態とは、乳幼児の身体を略垂直に立たせた状態を意味し、乳幼児の頭を上にして乳幼児の足を下にして保持する。縦抱き状態は、おんぶ及びだっこのいずれであってもよい。だっこは、対面だっこ及び前向きだっこのいずれであってもよい。また、横抱き状態とは、乳幼児の体を略水平に寝かせた状態を意味し、乳幼児の頭と足が子守帯の着用者の左右方向になるように、着用者の腹部に隣接して支持する。
【００２２】
また、本明細書において、内側面とは、子守帯の装着時に乳幼児及び着用者側に位置する面を意味し、縦抱き用シートでは、縦抱き状態の時に子守帯の着用者と対向する面、つまり縦抱き状態の時に乳幼児と接する側の面であり、横抱き用シートでは、横抱き状態で乳幼児と接する側の面である。外側面とは、子守帯の装着時に内側面とは反対側に位置する面を意味し、縦抱き用シートでは、縦抱き状態の時に子守帯の着用者と対向しない面であり、横抱き用シートでは、横抱き状態の時に乳幼児と接しない面である。
【００２３】
また、本明細書において、縦抱き用シートの幅方向とは、縦抱き状態の時に、乳幼児及び着用者から見て左右方向である。横抱き用シートの幅方向とは、横抱き状態の時に、乳幼児から見て左右方向、つまり着用者から見て前後方向である。また、縦抱き用シートの長手方向とは、縦抱き状態の時に、乳幼児及び着用者から見て上下方向、つまり乳幼児の頭から足まで身体の延在方向である。横抱き用シートの長手方向とは、横抱き状態の時に、乳幼児から見て頭から足まで身体の延在方向、つまり、着用者から見て左右方向である。このように、長手方向とは、幅方向と直角な方向であり、シートの長手方向寸法及び幅方向寸法の長短を限定するものではない。
【００２４】
以下、図面に基づいて本発明の実施の形態を説明する。なお、以下の図面において同一または相当する部分には同一の参照符号を付しその説明は繰り返さない。
【００２５】
図１〜図１１を参照して、本発明の一実施形態の子守帯について説明する。本発明の実施の形態の子守帯は、乳幼児を縦抱き状態で保持する縦抱き用シート１０と、乳幼児を横抱き状態で保持する横抱き用シート６０とを備えている。
【００２６】
（子守帯の特徴）
まず、本実施の形態の子守帯の特徴的事項を図１及び図２を用いて説明する。図１及び図２に示すように、本実施の形態の子守帯の縦抱き用シートは、シート部と、一対の肩ベルトと、腰ベルトとを含んでいる。本実施の形態の子守帯の横抱き用シートは、ベルト通し帯を有している。横抱き用シートにおいて、乳幼児の頭部に位置する領域の幅方向両端部と、乳幼児の臀部に位置する領域の幅方向両端部とが、縦抱き用シートの一対の肩ベルトに対して連結されている。
【００２７】
また、図１に示すように、肩ベルトの一方が乳幼児の頭部に位置する領域の幅方向を延在し、かつ肩ベルトの他方が乳幼児の臀部に位置する領域の幅方向を延在するように、横抱き用シートが縦抱き用シートに取り付けられている。また、図２に示すように、一対の肩ベルトのそれぞれは、肩ベルトの一方（他方）が乳幼児の頭部（臀部）に位置する領域の幅方向下方を延在するように、横抱き用シートが縦抱き用シートに取り付けられている。
【００２８】
また、図２に示すように、横抱き用シートの外側面にベルト通し帯が設けられている。このベルト通し帯に一対の肩ベルトが通されることにより、肩ベルトの一方が乳幼児の頭部に位置する領域の幅方向下方を延在し、かつ肩ベルトの他方が乳幼児の臀部に位置する領域の幅方向下方を延在している。
【００２９】
また、図１及び図２に示すように、本実施の形態の子守帯を横抱き状態で使用する際に、着用者は、１対の肩ベルトを両肩にそれぞれ掛けることができきるとともに、腰ベルトを装着できる。
【００３０】
（縦抱き用シート）
図３及び図４に示すように、縦抱き用シート１０は、シート部１１と、第１肩ベルト２１と、第２肩ベルト２２と、腰ベルト３１とを含んでいる。
【００３１】
シート部１１は、乳幼児の身体を縦抱き状態で直接保持する。また、シート部１１は、横抱き状態で、乳幼児の身体を直接保持する横抱き用シートを保持する。シート部１１は、長手方向及び幅方向に延びている。
【００３２】
図４に示すように、シート部１１の内側面には、乳幼児を保持する保持部１７が設けられている。保持部１７は略Ｔ字形状であって、保持部１７の下端縁がシート部１１の長手方向の下端に縫い付けられている。保持部１７の上端縁は自由端にされている。保持部１７は、例えば、通気性の良い薄い布からなる。保持部１７の上端縁の幅方向一方及び他方には、１対のバックル１８がそれぞれ設けられている。
【００３３】
図３及び図４に示すように、一対の肩ベルトである第１肩ベルト２１及び第２肩ベルト２２は、シート部１１からそれぞれ延びている。第１肩ベルト２１及び第２肩ベルト２２は、シート部１１の幅方向中央で長手方向に延びる仮想線を対称軸として、互いに対称に構成されている。
【００３４】
第１肩ベルト２１は、上ベルト２３と下ベルト２４とを含み、第２肩ベルト２２は、上ベルト２５と下ベルト２６とを含んでいる。上ベルト２３、２５及び下ベルト２４、２５のそれぞれは、シート部１１と接続され、本実施の形態では、縫着されている。
【００３５】
具体的には、シート部１１の長手方向上端部には、第１肩ベルト２１の上ベルト２３及び第２肩ベルト２２の上ベルト２５が接続され、シート部１１の長手方向中央部には、第１肩ベルト２１の下ベルト２４及び第２肩ベルト２２の下ベルト２６が接続されている。
【００３６】
また、シート部１１の幅方向の一方端部には、第１肩ベルト２１の上ベルト２３及び下ベルト２４が接続され、シート部１１の幅方向の他方端部には、第２肩ベルト２２の上ベルト２５及び下ベルト２６が接続されている。
【００３７】
上ベルト２３、２５の先端側には、バックル２３ａ、２５ａが設けられている。下ベルト２４、２６の先端側には、上ベルト２３、２５のバックル２３ａ、２５ａと互いに連結可能なバックル２４ａ、２６ａが設けられている。バックル２４ａ、２６ａは、下ベルト２４、２６の長さを調整する機能を有する調整部２４ｂ、２６ｂを含んでいる。下ベルト２４、２６を調整部２４ｂ、２６ｂに沿って滑らせることによって、下ベルト２４、２６の長さを調整できる。
【００３８】
一対の肩ベルト（第１肩ベルト２１及び第２肩ベルト２２）は、縦抱き状態及び横抱き状態で着用者の肩に掛けられる。第１肩ベルト２１の上ベルト２３及び第２肩ベルト２２の上ベルト２５は、子守帯の荷重を着用者の肩の広範囲に分散される観点から、下ベルト２４、２６よりも大きな幅及び厚みの縫製部材で構成されている。
【００３９】
第１肩ベルト２１の上ベルト２３及び第２肩ベルト２２の上ベルト２５の長手方向中央部には、ブリッジベルト４２、４１がそれぞれ取り付けられている。ブリッジベルト４１は上ベルト２５から延びる帯であって、その先端側にバックル４３を有している。バックル４３は長さを調整する機能を有する調整部４３ａを含み、ブリッジベルト４１に沿って位置調整可能である。ブリッジベルト４２は、上ベルト２３から延びる短い帯であって、その先端側にバックル４３と連結可能なバックル４４を有している。
【００４０】
図４に示すように、第１肩ベルト２１の上ベルト２３及び第２肩ベルト２２の上ベルト２５の根元には、シート部１１側が開口したクッション部１９が設けられている。クッション部１９は、上ベルト２３、２５の内側面に縫着され、上ベルト２３、２５とでシート部１１側の先端が開口するように構成されている。クッション部１９は、例えば、クッション性を有する縫製部材からなる。
【００４１】
クッション部１９と上ベルト２３、２５との間には、保持部１７のバックル１８と嵌合可能なバックル２８がそれぞれ設けられている。バックル２８は、上ベルト２３、２５に縫着されており、外部に露出していない。
【００４２】
図３及び図４に示すように、シート部１１の長手方向の下端部には、腰ベルト３１が設けられている。腰ベルト３１は、縦抱き状態及び横抱き状態で着用者の腰に回し掛けられる。
【００４３】
腰ベルト３１は、シート部１１の長手方向の下端と連続する腰ベルト中央部３２と、幅方向一方に向かって延出する第１延出部３３と、幅方向他方に向かって延出する第２延出部３４とを有する。第１延出部３３の先端には、ゴム帯からなる腰ベルト帯通し部３５と、腰ベルト帯通し部３５より腰ベルト中央部３２側に配置されたバックル３７とが設けられている。腰ベルト帯通し部３５は、腰ベルト帯３６が通るような開口を有している。第２延出部３４の先端からは腰ベルト帯３６が延出する。腰ベルト帯３６にはバックル３７と連結可能なバックル３８が取り付けられる。バックル３８は腰ベルト帯３６の長さを調整する機能を有する調整部３９を含み、腰ベルト帯３６に沿って位置調整が可能である。バックル３７、３８を互いに連結することにより、腰ベルト３１は、縦抱き状態及び横抱き状態で着用者の腰に巻き掛けられる。このため、腰ベルト３１は、通常の帯よりもベルト幅及びベルト厚みの大きな縫製部材からなり、子守帯の荷重を着用者の腰の広範囲に分散させる。
【００４４】
なお、縦抱き用シートは、シート部１１の長手方向の上端部側に設けられ、乳幼児の頭を支持するヘッドシート部（図示せず）をさらに含んでいてもよい。ヘッドシート部は、シート部１１に縫着されていてもよく、取り外し可能であってもよい。
【００４５】
続いて、図３〜図５を参照して、乳幼児を縦抱きに使用する際の動作について説明する。
【００４６】
まず、図５に示すように、乳幼児Ｂの頭を長手方向一方（上ベルト２３、２５側）に向け、乳幼児Ｂの足を長手方向他方（腰ベルト３１側）に向けて、乳幼児Ｂをシート部１１の内側面に寝かせ、保持部１７で乳幼児Ｂの股を覆い、保持部１７のバックル１８のそれぞれを、上ベルト２３、２５のバックル２８に連結する。これにより、乳幼児Ｂをシート部１１に拘束することができる。
【００４７】
また、図３の点線に示すように、第１肩ベルト２１の上ベルト２３のバックル２３ａと、下ベルト２４のバックル２４ａとを連結し、第２肩ベルト２２の上ベルト２５のバックル２５ａと下ベルト２６のバックル２６ａとを連結して、着用者の肩を通す輪をそれぞれ形成する。次に、着用者が両腕を一方の輪及び他方の輪にそれぞれ差し込んで、第１肩ベルト２１及び第２肩ベルト２２を両肩にそれぞれ掛けることにより、乳幼児Ｂは着用者に縦抱きされる。なお、縦抱きはおんぶでもだっこでもよい。
【００４８】
次に、着用者は、腰ベルト３１の第１延出部３３及び第２延出部３４を腰の両側にそれぞれ掛け、バックル３８を腰ベルト帯通し部３５に差し込んだ後に、図３の点線に示すように、バックル３８をバックル３７に連結する。これにより、乳幼児Ｂの体重を含む子守帯の荷重が、着用者の肩だけでなく、着用者の腰にも分担される。
【００４９】
万一、着用者の不注意で腰ベルトのバックル３７、３８の連結が解除された場合、バックル３８は腰ベルト帯通し部３５に係止する。これにより腰ベルト３１は着用者の腰から不用意に外れることを防止できる。
【００５０】
上ベルト２３、２５は、単なる布製の帯にすぎない下ベルト２４、２６よりも幅寸法及び厚み寸法の大きな部材からなるので、子守帯の荷重を着用者の両肩の広範囲に分散することができる。また、腰ベルト３１も、単なる布製の帯にすぎない腰ベルト帯３６よりも幅寸法及び厚み寸法の大きな部材からなるので、子守帯の荷重を着用者の腰の広範囲に分散することができる。
【００５１】
また、図３の点線に示すように、ブリッジベルト４１のバックル４３と、ブリッジベルト４２のバックル４４とを連結する。この状態においては、バックル４３、４４は、着用者の背中に位置する。これにより、第１肩ベルト２１及び第２肩ベルト２２が互いに接近して、着用者の両肩に深く掛けられる。
【００５２】
なお、本実施の形態の子守帯は、小さな乳幼児Ｂを縦抱きすることができるとともに、大きく成長した乳幼児Ｂも縦抱き可能である。
【００５３】
（横抱き用シート）
横抱き用シート６０は、乳幼児の頭部に位置する領域の幅方向両端部と、乳幼児の臀部に位置する領域の幅方向両端部とを、縦抱き用シートに対して着脱可能に連結するように構成されている。具体的には、図６及び図７に示すように、横抱き用シート６０は、ヘッドシート部６１と、バックシート部６２と、頭部側取付部６３と、臀部側取付部６４と、ヘッドガード部６５とを有している。
【００５４】
ヘッドシート部６１は、乳幼児の頭部を横抱き状態で支持する。ヘッドシート部６１の外側面の幅方向両端部には、頭部側取付部６３が設けられている。頭部側取付部６３については、後述する。
【００５５】
ヘッドシート部６１の長手方向下端には、バックシート部６２が接続されている。バックシート部６２は、乳幼児の背中及び臀部を横抱き状態で支持する。
【００５６】
ヘッドシート部６１及びバックシート部６２は連続して形成され、ヘッドシート部６１の内部には硬質の芯材が設けられている。バックシート部６２の内部には、芯材が設けられていてもよいが、芯材を省略することもできる。後者の場合、ヘッドシート部６１には芯材が設けられ、バックシート部６２には芯材が設けられていない。
【００５７】
ヘッドシート部６１の上端縁は略半円状であり、半円状の外周縁に沿ってヘッドガード部６５が設けられている。ヘッドガード部６５はヘッドシート部６１の上側面から起立して、ヘッドシート部６１の上側面に支持される乳幼児の頭を保護する。
【００５８】
図６に示すように、バックシート部６２には、長手方向中央の幅方向両端から外部に向けて延出する第１及び第２突出部６２ａ、６２ｂが設けられると共に、長手方向下方の幅方向両端から外部に向けて延出する第３及び第４突出部６２ｃ、６２ｄが設けられている。
【００５９】
第１突出部６２ａの外側面には、バックル６６が設けられている。第２突出部６２ｂの幅方向先端にはベルト帯６７が設けられている。図６及び図７に示すように、ベルト帯６７の先端には、バックル６６と連結可能なバックル６８が設けられている。バックル６８は、ベルト帯６７の長さを調整可能にする調整部を含んでいる。外側面にバックル６６が配置されている第２突出部６２ｂの幅寸法は、第１突出部６２ａの幅寸法よりも大きい。
【００６０】
図６に示すように、第３突出部６２ｃ、６２ｄの外側面のそれぞれには、臀部側取付部６４が設けられている。臀部側取付部６４については、後述する。
【００６１】
バックシート部６２の内側面には、股当て６９が設けられている。股当て６９は略長方形状であって、上端縁及び下端縁の幅は、バックシート部６２の幅よりも狭い。股当て６９の下端縁は、バックシート部６２の長手方向下方に縫い付けられている。股当て６９の上端縁は、自由端である。股当て６９は、例えば、通気性の良い薄い布からなる。股当て６９の上端部には、幅方向両端部を結ぶ空間が開口し、この開口にベルト帯６７を通すための開口部６９ａが形成されている。
【００６２】
ここで、頭部側取付部６３及び臀部側取付部６４について説明する。図８に示すように、頭部側取付部６３は、肩ベルトの一方（図８では下ベルト２４）が乳幼児の頭部に位置する領域の幅方向を延在するように肩ベルトの一方を取り付ける。頭部側取付部６３は、ヘッドシート部６１の外側面の幅方向両端部にそれぞれ設けられている。また、頭部側取付部６３は、長手方向において同じ位置にそれぞれ設けられており、本実施の形態では、ヘッドシート部６１の長手方向の略中央部に設けられている。頭部側取付部６３は、幅方向両端部にそれぞれ設けられていてもよく（２つであってもよく）、幅方向両端部と、その間とにそれぞれ設けられていてもよい（３つ以上であってもよい）。
【００６３】
臀部側取付部６４は、肩ベルトの他方（図８では下ベルト２６）が乳幼児の臀部に位置する領域の幅方向を延在するように肩ベルトの他方を取り付ける。臀部側取付部６４は、バックシート部６２の外側面の幅方向両端にそれぞれ設けられている。また、臀部側取付部６４は、長手方向において同じ位置にそれぞれ設けられており、本実施の形態では、バックシート部６２においてヘッドシート部６１と反対側の長手方向端部に設けられている。臀部側取付部６４は、幅方向両端部にそれぞれ設けられていてもよく（２つであってもよく）、幅方向両端部と、その間とのにそれぞれ設けられていてもよい（３つ以上であってもよい）。
【００６４】
なお、本実施の形態では、臀部側取付部６４は、バックシート部６２の第３及び第４突出部６２ｃ、６２ｄにそれぞれ設けられている（合計２つ）ので、乳幼児を横抱きした状態において、乳幼児の身体の下に臀部側取付部６４が位置しない。このため、乳幼児にとって臀部側取付部６４自体による不快感を低減できる。この観点からは、臀部側取付部６４は、バックシート部６２において乳幼児の身体を保持する領域から突出した第３及び第４突出部６２ｃ、６２ｄのみに設けられることが好ましい。
【００６５】
頭部側取付部６３は、第１または第２肩ベルト２１、２２の下ベルト２４、２６の一方を通すベルト通し帯である。臀部側取付部６４は、第１または第２肩ベルト２１、２２の下ベルト２４、２６の他方を通すベルト通し帯である。頭部側取付部６３及び臀部側取付部６４としてのベルト通し帯は、下ベルト２４、２６及びバックル２４ａ、２６ａが通るような開口を有している。頭部側取付部６３及び臀部側取付部６４は、布製であってもよく、ゴム製であってもよい。
【００６６】
頭部側取付部６３及び臀部側取付部６４がベルト通し帯である場合、ベルト通し帯の幅は特に限定されないが、本実施の形態では、臀部側取付部のベルト通し帯の幅は、頭部側取付部のベルト通し帯の幅よりも大きい。また、臀部側取付部のベルト通し帯の長さは、頭部側取付部のベルト通し帯の長さと同じである。
【００６７】
続いて、図１、図２、図６〜図１１を参照して、乳幼児を横抱きに使用する際の動作について説明する。
【００６８】
まず、縦抱き用シート１０の長手方向と、横抱き用シートの長手方向とが直交するように、縦抱き用シート１０のシート部１１の内側面上に、横抱き用シート６０の外側面を配置する。
【００６９】
次に、図８に示すように、横抱き用シート６０の頭部側取付部６３に、第１または第２肩ベルト２１、２２の下ベルト２４、２６の一方（図８では、下ベルト２４）を通し、下ベルト２４が乳幼児の頭部に位置する領域の幅方向を延在するように下ベルト２４の一方を取り付ける。この状態で、図３の点線に示すように、上ベルト２３のバックル２３ａと、下ベルト２４のバックル２４ａとを連結して、着用者の肩を通す輪の一方を形成する。
【００７０】
また、横抱き用シート６０の臀部側取付部６４に、第１または第２肩ベルト２１、２２の下ベルト２４、２６の他方（図８では、下ベルト２６）を通し、下ベルト２６が乳幼児の臀部に位置する領域の幅方向を延在するように下ベルト２６の他方を取り付ける。この状態で、図３の点線に示すように、上ベルト２５のバックル２５ａと、下ベルト２６のバックル２６ａとを連結して、着用者の肩を通す輪の他方を形成する。これにより、図９に示すように、横抱き用シート６０を縦抱き用シート１０に連結することができる。
【００７１】
次に、乳幼児Ｂの頭を長手方向一方（ヘッドシート部６１側）に向け、乳幼児Ｂの足を長手方向他方（バックシート部６２側）に向けて、乳幼児Ｂをヘッドシート部６１及びバックシート部６２の内側面にあおむけに寝かせる。その後、股当て６７（図７参照）で乳幼児Ｂの股を覆い、ベルト帯６７を開口部６９ａに通し、ベルト帯６７のバックル６８と第２突出部６２ｂに設けられたバックル６６（図６参照）とを連結する。この際に、バックル６８の調整部で、ベルト帯６７の長さを調整して、乳幼児Ｂを保持するために適した長さに調整する。これにより、乳幼児Ｂを横抱き用シート６０に拘束することができる。
【００７２】
なお、バックル６６、６８は、乳幼児の身体を保持する領域から突出した第１突出部６２ａの外側面で連結されているので、乳幼児にバックル６６、６８が当たることを防止できる。
【００７３】
次に、着用者が両腕を一方の輪及び他方の輪にそれぞれ差し込んで、第１肩ベルト２１及び第２肩ベルト２２を両肩にそれぞれ掛けることにより、乳幼児Ｂは着用者に横抱きにされる。
【００７４】
次に、縦抱き時と同様に、着用者は、腰ベルト３１の第１延出部３３及び第２延出部３４を腰の両側にそれぞれ掛け、バックル３８を腰ベルト帯通し部３５に差し込んだ後に、図３の点線に示すように、バックル３８をバックル３７に連結する。この際に、下ベルト２４、２６のバックル２４ａ、２６ａ（調整部２４ｂ、２６ｂ）で、第１及び第２肩ベルト２１、２２の長さを調整して、横抱きに適した長さの輪に調整する。これにより、乳幼児Ｂの体重を含む子守帯の荷重が、横抱き状態においても、着用者の肩だけでなく、着用者の腰にも分担される。
【００７５】
次に、縦抱きと同様に、図３の点線に示すように、ブリッジベルト４１のバックル４３と、ブリッジベルト４２のバックル４４とを連結する。
【００７６】
これにより、図１０に示すように、乳幼児Ｂは着用者に横抱きされる。横抱き状態においても、着用者は、１対の肩ベルトを両肩にそれぞれ掛けることができきるとともに、腰ベルト３１を装着できるので、子守帯の荷重を着用者の両肩及び腰の広範囲に分散することができる。
【００７７】
なお、図８及び図９において、頭部側取付部６３は、下ベルト２４が乳幼児の頭部に位置する領域の幅方向を延在するように取り付け、臀部側取付部６４は、下ベルト２６が乳幼児の臀部に位置する領域の幅方向を延在するように取り付けているが、下ベルトを反対にしてもよい。つまり、頭部側取付部６３は、下ベルト２６が乳幼児の頭部に位置する領域の幅方向を延在するように取り付け、臀部側取付部６４は、下ベルト２４が乳幼児の臀部に位置する領域の幅方向を延在するように取り付けるように構成されていてもよい。この場合、図１０において、乳幼児の頭部と臀部とは反対に位置する。
【００７８】
また、図１、図２及び図１１に示すように、横抱き用シート６０の外側面に設けられた頭部側取付部６３に肩ベルトの一方を取り付けて、肩ベルトの一方が乳幼児の頭部に位置する領域の幅方向を延在するように配置され、かつ、横抱き用シート６０の外側面に設けられた臀部側取付部６４に肩ベルトの他方を取り付けて、肩ベルトの他方が乳幼児の臀部に位置する領域の幅方向を延在するように配置されている。これにより、横抱き状態において、１対の肩ベルトによって、乳幼児の頭部の幅方向全体及び臀部の幅方向全体を下方から安定して支持することができる。このため、横抱き状態において、乳幼児Ｂの頭部よりも長手方向の端部側と、乳幼児Ｂの臀部よりも長手方向の端部側とで幼児を吊る場合に比べて、乳幼児Ｂに与える圧迫感を低減することができる。また、本実施の形態の子守帯は、乳幼児Ｂの頭部よりも長手方向の端部側と、乳幼児Ｂの臀部よりも長手方向の端部側とで幼児を吊る場合に比べて、横抱き用シート６０中央部に発生する撓みを低減できるので、乳幼児Ｂの姿勢を安定して保持できる。
【００７９】
また、本実施の形態の頭部側取付部６３及び臀部側取付部６４は、肩ベルトの一方及び他方を通すベルト通し帯であるので、横抱き用シート６０を縦抱き用シート１０に容易に取り付けること及び取り外すことができる。また、横抱き状態において、横抱き用シート６０の縦抱き用シート１０に対する位置ずれを抑制することもできる。
【００８０】
また、バックシート部６２に芯材が設けられていない場合であっても、横抱き用シート６０の撓みを抑制できるので、乳幼児Ｂを安定して支持することができる。
【００８１】
ここで、本実施の形態では、横抱き用シート６０において、乳幼児Ｂの頭部に位置する領域の幅方向両端部と、乳幼児Ｂの臀部に位置する領域の幅方向両端部とを、縦抱き用シート１０に対して着脱可能に連結するように構成される構造として、頭部側取付部６３及び臀部側取付部６４を例に挙げて説明したが、本発明はこの構造に特に限定されない。例えば、乳幼児Ｂの頭部に位置する領域の幅方向両端部、及び乳幼児Ｂの臀部に位置する領域の幅方向両端部にバックルがそれぞれ設けられ（合計４個のバックル）が設けられ、１対の肩ベルトにこの４個のバックルと連結可能なバックルが設けられ、それぞれのバックルにより連結する構造としてもよい。ただし、本実施の形態の場合のように、ベルト通し帯で構成される頭部側取付部６３及び臀部側取付部６４の場合には、子守帯全体のバックルの数を減らすことができるので、安全性をより高めることができる。
【００８２】
また、本実施の形態では、頭部側取付部６３及び臀部側取付部６４は、横抱き用シートの外側面に設けられる構造を例に挙げて説明したが、横抱き用シートの内部（例えば芯材など）に設けられてもよい。なお、下方から乳幼児を支持する観点から、横抱き用シート６０の内側面に頭部側取付部６３及び臀部側取付部６４を設けることは好ましくない。
【００８３】
また、本実施の形態では、横抱き用シートにおいて、乳幼児Ｂの頭部に位置する領域の幅方向両端部と、乳幼児Ｂの臀部に位置する領域の幅方向両端部とを、１対の肩ベルトに対して着脱可能に連結するように構成されているが、横抱き用シート６０を連結する対象は、肩ベルトに特に限定されない。例えば、横抱き用シート６０において、乳幼児Ｂの頭部に位置する領域の幅方向両端部と、乳幼児Ｂの臀部に位置する領域の幅方向両端部とを、縦抱き用シート１０の肩ベルト以外の部分に対して着脱可能に連結するように構成されていてもよい。
【００８４】
今回開示された実施の形態はすべての点で例示であって制限的なものではないと考えられるべきである。本発明の範囲は上記した実施の形態ではなくて特許請求の範囲によって示され、特許請求の範囲と均等の意味及び範囲内でのすべての変更が含まれることが意図される。
【符号の説明】
【００８５】
１０  縦抱き用シート、１１  シート部、１７  保持部、１８，２３ａ，２４ａ，２５ａ，２６ａ，２８，３７，３８，４３，４４，６６，６８  バックル、１９  クッション部、２１  第１肩ベルト、２２  第２肩ベルト、２３，２５  上ベルト、２４，２６  下ベルト、２４ｂ，３９，４３ａ  調整部、３１  腰ベルト、３２  腰ベルト中央部、３３  第１延出部、３４  第２延出部、３５  腰ベルト帯通し部、３６  腰ベルト帯、４１，４２  ブリッジベルト、６０  横抱き用シート、６１  ヘッドシート部、６２  バックシート部、６２ａ  第１突出部、６２ｂ  第２突出部、６２ｃ  第３突出部、６２ｄ  第４突出部、６３  頭部側取付部、６４  臀部側取付部、６５  ヘッドガード部、６７  ベルト帯、６９  股当て、６９ａ  開口部、Ｂ  乳幼児。
【図１】
2015130963.tif 000003
【図２】
2015130963.tif 000004
【図３】
2015130963.tif 000005
【図４】
2015130963.tif 000006
【図５】
2015130963.tif 000007
【図６】
2015130963.tif 000008
【図７】
2015130963.tif 000009
【図８】
2015130963.tif 000010
【図９】
2015130963.tif 000011
【図１０】
2015130963.tif 000012
【図１１】
2015130963.tif 000013